【事件の表示】
　特願２００８−５５３０６５「放送受信装置」拒絶査定不服審判事件〔平成２０年　７月１７日国際公開、ＷＯ２００８／０８４６９６〕について、次のとおり審決する。
【結　論】
　本件審判の請求は、成り立たない。
【理　由】
１．手続の経緯　
　本願は、２００７年１２月２６日(優先権主張２００６年１２月２７日、日本国)を国際出願日とする出願であって、平成２３年５月２４日付で拒絶の理由が通知され、平成２３年８月１日付で意見書・手続補正書が提出されたものの、平成２３年８月２２日付で拒絶査定がなされたものである。　
　本件は、上記拒絶査定を不服として平成２３年１１月３０日付で請求された拒絶査定不服審判であって、その審判請求と同時に手続補正書が提出され、当審において、前置報告書の内容について審判請求人の意見を求めるために、平成２４年４月１３日付で審尋がなされ、平成２４年６月１８日で回答書が提出され、平成２４年１１月１２日付で拒絶の理由が通知され、平成２５年１月１５日付で意見書・手続補正書が提出されている。
　
２．本願発明 
　本願の請求項１に係る発明は、平成２３年８月１日付、平成２３年１１月３０日付、および、平成２５年１月１５日付手続補正書によって補正された明細書、特許請求の範囲及び図面の記載からみて、その特許請求の範囲の請求項１に記載されたとおりのものと認められるところ、その請求項１に係る発明は請求項１に記載された次のとおりである。（以下「本願発明」という。）　　
　
「【請求項１】
　放送番組を表示する装置におけるチャンネルの切り換え方法であって、
　該装置が、放送番組を表示している際に、
軌跡を表示させて
　
３．引用刊行物及び引用発明
３．１．引用例１
　これに対して、当審における、平成２４年１１月１２日付で通知した拒絶の理由で引用した、本願の出願の日前に頒布された特開２００６−８４３２９号公報(以下「引用例１」という。)には、図面と共に、以下の記載がある。 
　
「【請求項１】
　操作対象画面を表示する表示パネルと、この表示パネル上に設けられ、前記操作対象画面に対応する各種操作を行うタッチパネルとを備える車載装置において、
　前記操作対象画面が前記表示パネルに表示されている状態で、前記タッチパネルに文字を手書きした場合に、
　この手書きされた文字を認識する文字認識手段と、この文字認識手段で認識された所定の文字あるいは文字列に予め割り当てられ、かつ、前記操作対象画面に対応する所定動作を実行するように、当該車載装置を制御する制御手段と、を備えることを特徴とする車載装置。」　 
「【請求項４】
　前記車載装置は、前記操作対象として、ＴＶ放送波を受信してＴＶ映像及びＴＶ音声を出力するＴＶ受信手段を備え、
　前記制御手段は、前記ＴＶ放送のチャンネルと、前記所定の文字あるいは文字列との対応関係を記憶し、
　前記表示パネルに前記操作対象画面としてのＴＶ画面が表示されている状態で、前記認識された前記所定の文字あるいは文字列に基づいて、前記ＴＶ放送のチャンネルを切り換えるように、前記ＴＶ受信手段を制御することを特徴とする請求項１に記載の車載装置。」
「【０００４】
　上記目的を達成するために、本発明は、操作対象画面を表示する表示パネルと、この表示パネル上に設けられ、操作対象画面に対応する各種操作を行うタッチパネルとを備える車載装置において、操作対象画面が表示パネルに表示されている状態で、タッチパネルに文字を手書きした場合に、この手書きされた文字を認識する文字認識手段と、この文字認識手段で認識された所定の文字あるいは文字列に予め割り当てられ、かつ、操作対象画面に対応する所定動作を実行するように、当該車載装置を制御する制御手段とを備えることを特徴とする。」
「【０００６】
　また、車載装置は、ＴＶ放送波を受信してＴＶ映像及びＴＶ音声を出力するＴＶ受信手段を備え、制御手段は、ＴＶ放送のチャンネルと、所定の文字あるいは文字列との対応関係を記憶し、表示パネルに操作対象画面としてのＴＶ画面が表示されている状態で、認識された所定の文字あるいは文字列に基づいて、ＴＶ放送のチャンネルを切り換えるように、ＴＶ受信手段を制御する構成としても良い。また、車載装置は、ラジオ放送波を受信してラジオ音声を出力するラジオ受信手段を備え、制御手段は、予めプリセットされたラジオ放送のチャンネルと、所定の文字あるいは文字列との対応関係を記憶し、表示パネルに操作対象画面としてのオーディオ画面が表示されている状態で、認識された所定の文字あるいは文字列に基づいて、ラジオ放送のチャンネルを切り換えるように、ラジオ受信手段を制御する構成としても良い。また、車載装置は、車両の経路案内を行うための検索リストを有するナビゲーション手段を備え、制御手段は、表示パネルに操作対象画面としての地図画面が表示されている状態で、タッチパネルを介して入力された所定の文字あるいは文字列に応じて、検索リストの中から、検索対象を絞り込み、この絞り込まれた検索対象を、表示パネルにリスト表示するようにナビゲーション手段を制御する構成としても良い。また、文字認識手段は、タッチパネルに文字が手書きされた後、所定時間が経過するまでに、新たな文字が手書きされない場合には、文字認識を完了して、その結果を制御手段に出力する構成としても良い。」
「【００１２】
　次いで、操作パネル１１に設けられた表示パネル１４の構成について詳細する。図４に示すように、表示パネル１４は、液晶駆動回路基板３０と、液晶パネル３１と、タッチパネル３２とを有し、これらがこの順で積層配置されている。タッチパネル３２には、抵抗膜方式のものが用いられ、透明度（光透過度）が高く、液晶パネル３１の表示がタッチパネル３２を通して視認可能になされている。したがって、液晶パネル３１に各種操作のためのメニュー画面や操作画面が表示されているときに、タッチパネル３２を指先等でタッチ操作することで、各種操作が可能となっている。このように、本ナビゲーション装置１にあっては、フェイスパネル１２に設けた操作スイッチ１３に加え、タッチパネル３２による操作も行うことができるようになっている。なお、表示パネル１４としては、上記液晶パネル３１に代えて、例えば有機ＥＬ（Electro-Luminescence）パネル等を用いることも可能である。」
「【００１９】
　ＴＶ受信処理部（ＴＶ受信手段）１８０は、制御部１００の制御の下、ＴＶ（テレビジョン）放送波を受信してＴＶ映像及びＴＶ音声を制御部１００に出力するものであり、図示せぬＴＶチューナ回路を備えている。ＴＶ映像は動画像として液晶パネル３１に表示され、また、ＴＶ音声は音出力部１３５から出力される。ラジオ受信処理部（ラジオ受信手段）１８５は、ラジオ放送（ＡＭ、ＦＭ放送）を受信して、ラジオ音声を制御部１００に出力するものであり、図示せぬラジオチューナ回路を備えている。ラジオ音声は音出力部１３５から出力される。本構成では、ラジオ音声が音出力部１３５から出力される場合には、液晶パネル３１には、受信したラジオ放送のチャンネルや周波数等がイラスト等の静止画と組み合わせて表示されている（以下、オーディオ画面という）。」
「【００２２】
　操作部１９０は、スイッチ操作部１９２と、タッチパネル操作部１９４とを備えている。スイッチ操作部１９２は、上述した操作スイッチ１３に加え、この操作スイッチ１３の操作を電気信号に変換してスイッチ信号ＳＳを制御部１００に出力するスイッチ回路基板（図示せず）を備えている。タッチパネル操作部１９４は、上述したタッチパネル３２に加え、タッチパネル３２の操作を電気信号に変換してタッチ信号ＴＳを制御部１００に出力するタッチパネル回路基板（図示せず）を備えている。タッチ信号ＴＳには、タッチパネル３２の面上のタッチ操作個所を示す座標情報が含まれており、これにより、制御部１００が、タッチパネル３２上のタッチ操作箇所を識別可能となる。ここで、制御部１００は、走行の安全を図るべく、パーキングブレーキ状態信号ＰＢＳにより車両が駐車中でないことが示されている場合には、操作部１９０からのスイッチ信号ＳＳ及びタッチ信号ＴＳの入力を無効とし、車両が駐車していないとき、特に車両走行中の各種の操作を禁止している。また、制御部１００は、パーキングブレーキ状態信号ＰＢＳにより車両が駐車中でないことが示されている場合、運転者がＴＶ映像に気をとられ、走行の安全性が害されるのを防止するために、表示部１４０へのＴＶ映像の出力を停止し、車両が駐車していないときのＴＶ映像表示を禁止している。」
「【００２３】
　本実施形態では、図６に示すように、タッチパネル３２は２つの領域に区分けされており、長押しボタンやスクロールボタン等の操作ボタンを配置される操作ボタン領域ＳＡと、手書き文字を入力可能とする手書き文字入力領域ＴＡとを備えている。この手書き文字入力領域ＴＡは、当該入力領域ＴＡに手書き文字を入力することによって、ナビゲーション装置１の操作を可能とするものである。手書き文字入力領域ＴＡに手書き文字が入力されると、この手書き文字の軌跡に対応する座標情報を含んだタッチ信号ＴＳが、制御部（文字認識手段）１００に順次出力される。この制御部（文字認識手段）１００は、タッチ信号ＴＳを順次取得し、当該タッチ信号ＴＳに基づいて手書き文字入力領域ＴＡに入力された文字を認識する。」
「【００２４】
　制御部１００は、指またはペンがタッチパネル３２から離れ、上記タッチ信号ＴＳの入力が途切れると、不図示のタイマを動作させる。そしてこのタイマによる計測時間が所定時間ｔ１を超過すると、手書きによる文字入力が完了したものとみなされる。この所定時間ｔ１は、文字入力が完了したものとみなすのに十分な長さの時間であり、文字列が入力される場合における直前の文字と次の文字との間に生じる時間や、入力される文字が複数画の場合における直前の一画が終了してから次の一画が開始されるまでの時間に比べて十分に長く設定されている。これによれば、文字入力後に入力完了操作をする必要がないため、操作が簡素化されるとともに、文字を入力している途中で文字入力が完了してしまうという不具合は未然に防がれる。」
「【００２５】
　本構成では、タッチパネル３２上に、手書き文字を入力可能とする特定の領域（手書き文字入力領域ＴＡ）を常時設けることにより、手書き文字を入力する際に、その都度、手書き文字入力用の画面を開く必要はなく、ナビゲーション装置１の操作を容易に行うことができる。この手書き文字入力領域ＴＡの位置、大きさ、範囲に関しては適宜変更することが可能である。」
「【００４４】
　上記第1実施形態では、予め設定してある目的地候補と、所定の文字との対応関係を記憶しておき、タッチパネル３２の手書き文字入力領域ＴＡに、上記所定の文字を手書きすることにより、この所定の文字に割り当てられた目的地候補を特定して、この目的地候補に向けて車両の経路案内をする構成等について説明したが、本第２実施形態では、ＴＶ放送のチャンネルと、所定の文字との対応関係を記憶しておき、タッチパネル３２の手書き文字入力領域ＴＡに、上記所定の文字を手書きすることにより、この文字に割り当てられたチャンネルに切り換えることができる。本第２実施形態の車載装置１の構成は、上記第１実施形態に記載したものと同様であるため、ここでは説明を省略する。」
『【００４５】
　図１０に示すフローチャートを参照して、本実施形態の動作を説明する。
　まず、ユーザによって初期設定が行われる（ステップＳ３０）。ここで初期設定とは、上記ＴＶ受信処理部１８０が受信するＴＶ放送波の各チャンネルに、それぞれ異なる所定の文字を設定することをいう。例えば、東京地区の場合であれば、ＮＨＫ総合放送に「１」を割り当て、以下、ＮＨＫ教育放送に「３」、日本テレビに「４」、・・・、テレビ朝日に「１０」、テレビ東京に「１２」を割り当てることによって行う。この初期設定のデータは、上記記憶部１１０に格納されている。初期設定が一度行われると、次回からは記憶部１１０に格納された初期設定データを読み出して、以下の処理が実行される。この場合であっても、初期設定データを適宜変更することは可能である。』
「【００４６】
　次に、ユーザがＴＶ受信処理部１８０を動作させて、液晶パネル３１に操作対象画面としてのＴＶ画面を表示させる（ステップＳ３１）。本構成では、ＴＶ画面が表示された状態でタッチパネル３２に文字を手書きすることにより、ＴＶ受信処理部１８０が制御される。続いて、制御部１００は、タッチパネル３２の手書き文字入力領域ＴＡに所定の文字（本実施形態では数字）が入力されたか否かを判別する（ステップＳ３２）。この判別において、上記所定の文字が入力されていない場合には、この文字が入力されるまで処理を繰り返し実行する。」
『【００４７】
　一方、上記所定の文字が入力された場合には、制御部（文字認識手段）１００は、タッチパネル操作部１９４から随時出力されるタッチ信号ＴＳに基づいて、入力された数字を認識する（ステップＳ３３）。具体的には、手書き入力用領域ＴＡに「１」と描かれた場合、タッチパネル操作部１９４は、この手書き文字「１」の軌跡に対応する座標情報を有するタッチ信号ＴＳを、制御部１００に随時出力し、制御部１００は、これらタッチ信号ＴＳに基づいて、入力された文字を認識する。また、所定文字が入力された後、所定時間ｔ１が経過するまでに新たな文字入力がない場合には、文字入力が完了する。例えば、「１」が入力された後、所定時間ｔ１が経過するまでに「０」の入力があれば、この「０」の入力後に再び所定時間ｔ１の計測を開始する。そして、所定時間ｔ１が経過する場合には、入力された文字は「１０」と認識される。』
『【００４８】
　続いて、制御部１００は、ＴＶチャンネルの中から、文字認識された数字「１」に割り当てられたＴＶチャンネル「ＮＨＫ総合放送」を選択して（ステップＳ３４）、ＴＶ受信処理部１８０にチャンネルを切り換える信号を出力する。この信号を取得したＴＶ受信処理部１８０は、ＴＶチューナ回路を介して、チャンネルをＮＨＫ総合に切り替え（ステップＳ３５）、液晶パネルに当該チャンネルの映像を表示する。』
『【００４９】
　なお、再度テレビのチャンネルを変更したい場合には、タッチパネル３１に見たいテレビチャンネルが割り当てられた所定の文字（例えば数字「４」）を手書き入力することにより、液晶パネル３１に表示されるテレビのチャンネルを、ＮＨＫ総合から日本テレビへと変更することができる。』
「【００５０】
　本第２実施形態によれば、液晶パネル３１にＴＶ画面が表示されている状態において、タッチパネル３２の手書き文字入力領域ＴＡに手書きで所定の文字を入力することにより、テレビのチャンネルを変更することができるため、画面の切り換えを行うことなく、容易に車載装置１を操作することができる。また、所定の文字を手書きすることで、チャンネルの変更ができるため、娯楽性の向上が図れる。なお、本第２実施形態では、所定の文字として数字を用いていたが、これに限るものではない。」
「【図１】
」
「【図４】
」
「【図６】
」
「【図１０】
」
　
　ここで、上記記載を検討すると、特に、上記【請求項４】の「前記表示パネルに前記操作対象画面としてのＴＶ画面が表示されている状態で、前記認識された前記所定の文字あるいは文字列に基づいて、前記ＴＶ放送のチャンネルを切り換えるように」との記載、上記段落【０００６】の「また、車載装置は、ＴＶ放送波を受信してＴＶ映像及びＴＶ音声を出力するＴＶ受信手段を備え、制御手段は、ＴＶ放送のチャンネルと、所定の文字あるいは文字列との対応関係を記憶し、表示パネルに操作対象画面としてのＴＶ画面が表示されている状態で、認識された所定の文字あるいは文字列に基づいて、ＴＶ放送のチャンネルを切り換えるように、ＴＶ受信手段を制御する構成としても良い。」との記載、上記段落【００１２】の「表示パネル１４は、液晶駆動回路基板３０と、液晶パネル３１と、タッチパネル３２とを有し、これらがこの順で積層配置されている。」との記載、上記段落【００４４】の「本第２実施形態では、ＴＶ放送のチャンネルと、所定の文字との対応関係を記憶しておき、タッチパネル３２の手書き文字入力領域ＴＡに、上記所定の文字を手書きすることにより、この文字に割り当てられたチャンネルに切り換えることができる。」との記載からみて、引用例１には以下の発明(以下「引用発明」という。)が記載されている。
　
「ＴＶ放送波を受信してＴＶ映像及びＴＶ音声を出力するＴＶ受信手段を備えた車載装置におけるチャンネルの切り換え方法であって、ＴＶ放送のチャンネルと、所定の文字あるいは文字列との対応関係を記憶し、表示パネル１４に操作対象画面としてのＴＶ画面が表示されている状態で、表示パネル１４に積層されたタッチパネル３２の手書き文字入力領域ＴＡに、上記所定の文字あるいは文字列を手書きすることにより、この文字に割り当てられたチャンネルに切り換えることができるチャンネルの切り換え方法。」
　
４．対比・一致点・相違点
　ここで、本願発明と引用発明を比較する。
　
　第一に、引用発明は「ＴＶ放送波を受信してＴＶ映像及びＴＶ音声を出力するＴＶ受信手段を備えた車載装置におけるチャンネルの切り換え方法」であって、この「車載装置」は「ＴＶ放送波を受信してＴＶ映像及びＴＶ音声を出力するＴＶ受信手段を備えた」ものであるから、引用発明と本願発明は「放送番組を表示する装置におけるチャンネルの切り換え方法」という点で一致している。
　第二に、引用発明は「ＴＶ放送のチャンネルと、所定の文字あるいは文字列との対応関係を記憶し、表示パネル１４に操作対象画面としてのＴＶ画面が表示されている状態で、表示パネル１４に積層されたタッチパネル３２の手書き文字入力領域ＴＡに、上記所定の文字あるいは文字列を手書きすることにより、この文字に割り当てられたチャンネルに切り換える」ものであるから、引用発明と本願発明は「該装置が、放送番組を表示している際に、タッチパネルに手書された文字または文字列に対応するチャンネルに切り換えるように制御する」点で一致しているが、本願発明は放送番組を表示している際に「軌跡を表示させて」タッチパネルに手書された文字または文字列に対応するチャンネルに切り換えるように制御するのに対し、引用発明はそのようになっていない点で異なっている。
　
　したがって、本願発明と引用発明は、
　
[一致点]
「放送番組を表示する装置におけるチャンネルの切り換え方法であって、
　該装置が、放送番組を表示している際に、タッチパネルに手書された文字または文字列に対応するチャンネルに切り換えるように制御することを特徴とするチャンネルの切り換え方法。」
　
　という点で一致し、
　
[相違点]
　本願発明は放送番組を表示している際に「軌跡を表示させて」タッチパネルに手書された文字または文字列に対応するチャンネルに切り換えるように制御するのに対し、引用発明はそのようになっていない点。
　
　で相違する。
　
５．判断
　ここで、上記相違点について検討する。
　
　例えば、本願の出願の日前に頒布された特開昭６２−２３２０２２号公報(以下「周知例」という。)に、
　
「２．特許請求の範囲
（１）表示画面上に重ねて設けられる透明なタッチパネルと、
タッチ操作の開始から、順次入力されるタッチパターンを逐次記憶するタッチパターン記憶手段と、
逐次記憶されるタッチパターンを、タッチパネル上のタッチ軌跡に重ねてその下に表示するタッチパターン表示手段と、
１キャラクタ分のタッチ操作が終了するたびに、記憶されたタッチパターンを各キャラクタに対応する基準パターンと照合することにより、入力されたキャラクタを判読する入力キャラクタ判読手段と、
を具備することを特徴とするキャラクタ入力装置。」(第１頁左下欄第４〜１９行)
「この状態において、タッチパネル５の何れかの検出区画５ｂがタッチ操作されると（ステップ２００肯定）、ＣＰＵ１側では順次タッチされた検出区画５ｂからの信号に基づきタッチパターンを認識し、このタッチ軌跡に相当するＣＲＴ画面上の画素を順次駆動することによって、第３図に示されるように既入力パターン１０を表示させる（ステップ２０１）。」(第２頁左下欄第２０行〜右下欄第７行)
「また、１キャラクタ分のタッチ操作を行なっている最中でも、既に入力されたタッチパターンが逐次表示画面上にタッチ軌跡に重ねて表示されるから、頂度黒板に文字を描くのと同様にして、描いたパターンを確認しつつキャラクタの入力操作を行えるため、操作者にとっては使い勝手がよい。」(第３頁右上欄第１２〜１７行)
　
　と記載されるように「操作性を向上させることを目的として、タッチパネル上でのタッチ操作の軌跡を重ねて表示すること」(以下「周知技術」という。)は良く行われていることにすぎない。
　そして、何らかの操作を行う機器において、その操作の操作性を向上させることは一般的な課題であって、引用発明１においても、その操作性を向上させようとすることは当業者が当然考慮するものであるところ、その考慮の過程で周知技術に基づき、引用発明の「タッチパネル３２」に積層されている「表示パネル１４」に「軌跡を表示させ」て手書された文字または文字列を入力させたことは、当業者が容易に想到し得たことにすぎない。
　
　また、本願発明の奏する作用効果も当業者が予測できる範囲のものである。 
　
　したがって、本願発明は、引用発明、および、周知技術に基づいて、当業者が容易に発明をすることができたものである。 
　
６．むすび 
　以上のとおり、本件出願の請求項１に係る発明は、引用例１に記載された発明、および、周知技術に基づいて、当業者が容易に発明をすることができたものであるから、特許法第２９条第２項の規定により特許を受けることができない。 
　
　したがって、本件出願は拒絶をすべきものである。
　
　よって、結論のとおり審決する。